(57)【要約】【課題】ユーザがある番組に対して興味を持つシーンを指定した場合、当該シーンに関連するタグリストを前記ユーザに提供できる電子機器の制御方法、電子機器、電子機器の制御プログラムを提供する。【解決手段】実施形態における電子機器の制御方法は、ディスプレイに表示されている動画のあるシーンをユーザ操作により特定する。次に前記特定されたシーンに関連する情報をサーバに送信する。次に前記シーンに関連する情報に基づいて作成されているタグリストを前記サーバから受信する。次に、前記タグリストに基づいて動画再生装置で再生された前記動画を含む動画番組を表示する。【選択図】図４
2013229650.tif 000002
【特許請求の範囲】
【請求項１】
携帯端末としての電子機器が、
ディスプレイに表示されている動画のあるシーンをユーザ操作により特定し、
前記特定されたシーンに関連する情報をサーバに送信し、
前記シーンに関連する情報に基づいて作成されているタグリストを前記サーバから受信し、
前記タグリストに基づいて動画再生装置で再生された前記動画を含む動画番組を表示する電子機器の制御方法。
【請求項２】
前記シーンに関連する情報は、前記シーンを形成する画像の輪郭情報、または、前記シーンを含む前記動画の番組情報である、請求項１記載の電子機器の制御方法。
【請求項３】
前記サーバから受信する前記タグリストは、複数の種類である、請求項１記載の電子機器の制御方法。
【請求項４】
前記電子機器では、複数のタグリストが受信された場合、ユーザからのタグリストの選択を受け付ける請求項３記載の電子機器の制御方法。
【請求項５】
前記サーバから受信する前記タグリストは、前記シーンに含まれる背景又は前記背景とは異なる画像に関するタグリストである、請求項１記載の電子機器の制御方法。
【請求項６】
前記背景とは異なる画像に関するタグリストは、複数の画像に関する複数のタグリストである、請求項１記載の電子機器の制御方法。
【請求項７】
前記ユーザ操作としてジェスチャーや音声による命令を使う請求項１記載の電子機器の制御方法。
【請求項８】
ディスプレイに表示されている動画のあるシーンをユーザ操作により特定する手段と、
前記特定されたシーンに関連する情報をサーバに送信する手段と、
前記シーンに関連する情報に基づいて作成されているタグリストを前記サーバから受信する手段と、
前記タグリストに基づいて動画再生装置で再生された前記動画を含む動画番組を表示する手段を有する電子機器。
【請求項９】
前記シーンに関連する情報を、前記シーンを形成する画像の輪郭情報、または、前記シーンを含む前記動画の番組情報として処理する手段を有する請求項８記載の電子機器。
【請求項１０】
前記ユーザ操作としてジェスチャーや音声による命令を取り込む手段を有する請求項８記載の電子機器。
【請求項１１】
制御部で読み取り可能な記憶媒体に格納されるプログラムであって、
このプログラムは、ディスプレイに表示されている動画のあるシーンをユーザ操作により特定させるためのインストラクションと、
前記特定されたシーンに関連する情報をサーバに送信するためのインストラクションと、
前記シーンに関連する情報に基づいて作成されているタグリストを前記サーバから受信するためのインストラクションと、
前記タグリストに基づいて再生された前記動画を含む動画番組を表示するためのインストラクションと、を有する電子機器のプログラム。
【請求項１２】
前記シーンに関連する情報は、前記シーンを形成する画像の輪郭情報、または、前記シーンを含む前記動画の番組情報である、前記輪郭情報及びまた番組情報を処理するためのインストラクションを含む請求項１１記載の電子機器のプログラム。
【請求項１３】
前記ユーザ操作としてジェスチャーや音声に対応するインストラクション有する請求項１０記載の電子機器のプログラム。
【発明の詳細な説明】
【技術分野】
【０００１】
本発明の実施形態は電子機器の制御方法、電子機器、電子機器の制御プログラムに関する。
【背景技術】
【０００２】
テレビジョン受信装置、ディスク記録再生装置などの情報再生装置では、放送番組信号を受信し、記録媒体に記録する機能を備えている。複数のチューナを備える装置は、多数のチャンネルの放送番組信号を同時に記録媒体に記録する機能を有する。また、この種の装置は、録画予約データに基づいて受信した放送番組信号を記録媒体に記録する機能も有する。
【先行技術文献】
【特許文献】
【０００３】
【特許文献１】特開２００６−１０１３２４号公報
【発明の概要】
【発明が解決しようとする課題】
【０００４】
上記のように多くの番組が記録媒体に記録されている場合、ユーザが、すべての番組を全部視聴するには膨大な時間が必要となる。そこでユーザは、興味を持つシーン、或いは特定の人物、動物、或いは風景などを飛ばし視聴することを望む場合がある。
【０００５】
本発明の目的は、ユーザがある番組に対して興味を持つシーンを指定した場合、当該シーンに関連するタグリストを前記ユーザに提供することができる電子機器の制御方法、電子機器、電子機器の制御プログラムを提供することにある。
【課題を解決するための手段】
【０００６】
実施形態における電子機器の制御方法は、ディスプレイに表示されている動画のあるシーンをユーザ操作により特定すること、前記特定されたシーンに関連する情報をサーバに送信すること、前記シーンに関連する情報に基づいて作成されているタグリストを前記サーバから受信すること、前記タグリストに基づいて動画再生装置で再生された前記動画を含む動画番組を表示すること備える。
【０００７】
前記シーンに関連する情報は、前記シーンを形成する画像の輪郭情報、または、前記シーンを含む前記動画の番組情報であってもよい。
【０００８】
前記サーバから受信する前記タグリストは、複数の種類であってもよい。
【０００９】
前記複数のタグリストが受信された場合、ユーザはタグリストの選択を行うことができてもよい。
【００１０】
前記サーバから受信する前記タグリストは、前記シーンに含まれる背景又は前記背景とは異なる画像に関するタグリストである。
【００１１】
前記背景とは異なる画像に関するタグリストは、複数の画像に関する複数のタグリストである。
【図面の簡単な説明】
【００１２】
【図１】実施形態が適用されている電子機器の使用状態の一例を示す図。
【図２】実施形態の動作の例を説明するためにシーンとタグリストの例を示す図。
【図３】携帯端末が表示する表示画面の例を示す図。
【図４】実施形態の動作の例を説明するために情報の送受信例を示す図。
【図５】実施形態の他の動作例を説明するために情報の送受信例を示す図。
【図６】実施形態に係る携帯端末の代表的な構成例を示す図。
【図７】実施形態に係る動画再生装置の構成例を示す図。
【図８】図７の動画再生装置の制御部の構成例を示す図。
【図９】図８のデータ収集・修正値生成部の構成例を示す図。
【発明を実施するための形態】
【００１３】
以下、実施の形態について図面を参照して説明する。
【００１４】
図１は本実施形態が適用された電子機器の使用状態の一例を示すシステム構成図を示す。１１００は、電子機器に含まれる携帯端末であり、携帯端末は、タブレット、パーソナルコンピュータ、携帯電話器、パーソナルデジタルアシスタント・デバイス、ナビゲータデバイスなどを含む。図１の例では、タブレット１１０２、携帯電話器１１０３の例を示している。タブレット１１０２、携帯電話器１１０３は、表示部がタッチ式入力部を兼ねており、表示部にユーザがタッチすることにより、各種操作されることができる。
【００１５】
携帯端末１１００は、電子機器に含まれる動画再生装置１２００と、相互通信を行い、動画再生装置１２００から動画を受け取り表示することができる。動画再生装置１２００は、各種の機器を含むもので、例えば、記録装置１２０１として、ハードディスクドライブ装置、ブルーレイディスク記録再生装置、デジタルバーサタイルディスク記録再生装置、半導体メモリなどを含む。またテレビジョン受信装置１２０２と上記記録装置１２０１が接続されていてもよい。そして、テレビジョン受信装置１２０２がモニタとして利用されてもよい。
【００１６】
さらに、記録装置１２０１は、近距離無線通信方式を利用して、携帯端末１１００、及びテレビジョン受信装置１２０２と相互通信を行うこともできる。これにより、携帯端末１１００は、記録装置１２０１の動作を制御し、記録装置１２０１から直接、あるいはテレビジョン受信装置１２０２を介して配信された動画信号を受信することができる。また、携帯端末１１００は、後で説明するネットワークを介して、インターネットを介して配信される動画を受信し表示することも可能である。
【００１７】
１３００は、電子機器に含まれるサーバであり、ネットワーク１４００を介して、携帯端末１１００によりアクセスされることができる。ネットワーク１４００は、電話回線、インターネット回線、アクセスポイントなど種々の通信手段を含み、遠距離通信が可能である。
【００１８】
サーバ１３００は、ネットワーク１４００と無線及び又は有線接続されるネットワークモデム１３０１を有する。またサーバ１３００は、サーバ１３００内の各種のブロックを制御するための制御部としてのＣＰＵ（central processing uｎit）１３０２を含む。さらにまたサーバ１３００は、受信装置１３０３を含み、多数のチャンネルのテレビ番組、インターネットで配信される多数のサーバからの配信動画、などを受信することができる。
【００１９】
受信装置１３０３で受信された動画は、ＣＰＵ１３０２の制御の元で、記録装置１３０５に格納される。記録装置１３０５は、例えばハードディスクドライブ装置、ブルーレイディスク記録再生装置、デジタルバーサタイルディスク記録再生装置、半導体メモリなどを含む。
【００２０】
また受信装置１３０３で受信された動画及び又は記録装置１３０５に記録されている動画は、ＣＰＵ１３０２の制御の元で、タグリスト生成部１３０４で処理されることができる。タグリスト生成部１３０４は、受信した動画のタグリストを生成することができる。タグリスト生成部１３０４は、タグリストを生成する場合、シーンに関連する情報に基づいてタグリストを生成する。
【００２１】
タグリストを構成するタグは、例えば、特定シーンが現れる時間帯を示す情報として作成される。時間は、例えば当該番組の先頭からの相対時間であり、タグは、特定シーンを視聴できる数秒間、あるいは十数秒間の時間帯を示している。この時間帯の幅は、数秒間、十数秒間に限定されるものではない。
【００２２】
ここで上記した「シーンに関連する情報」とは、以下のような種々のタイプがある。
【００２３】
（１）「シーンに関連する情報」とは、番組情報である。番組情報は、例えばテレビジョン番組の放送日、時間である。番組情報が、例えば携帯端末１１００から送られてきた場合、サーバ１３００は、送られて来た番組情報から処理すべき番組を特定する。番組は現在受信中のライブ番組であってもよいし、記録装置１３０５に記録されている番組であってもよい。そして特定した番組の中の人物、風景、などを検索し、当該人物が出現する特定シーンのタグリスト、当該風景が現れる特定シーンのタグリストを作成する。作成されたタグリストは、番組情報と関連付けられて、記録装置１３０５に記録される。
【００２４】
タグリストは、携帯端末１１００に送信することもできる。この行為は、例えば携帯端末１１００から「シーンに関連する情報」として、番組情報が送信されてきたとき、推奨タグリストとして複数を提示することができる。携帯端末１１００において、複数のタグリストが提示された場合、ユーザは所望のタグリストを選択することができる。サーバ１３００から送られてくる複数のタグリストには、人物、風景などのサムネールが付加されていてもよい。
【００２５】
（２）「シーンに関連する情報」とは、番組情報と、代表特定シーンの時間データである。この時間データは、当該番組の先頭からの相対時間位置である。番組情報と代表特定シーンの時間データは、例えば携帯端末１１００から送られてくる。サーバ１３００は、受け取った番組情報に基づいて、処理すべき番組を特定する。タグリスト生成部１３０４は、特定した番組において特定シーンが出現する時間帯を示すタグリストを作成する。作成されたタグリストは、番組情報と関連付けられて、記録装置１３０５に記録される。
【００２６】
また、サーバ１３００は、シーンに関連する情報」を送信してきた携帯端末に、作成したタグリスト送信する。
【００２７】
（３）「シーンに関連する情報」とは、番組情報と、代表特定シーンの特徴データである。特徴データとは、例えば代表特定シーンの輪郭情報である。輪郭情報に限らず、色の領域を示す情報であってもよい。「シーンに関連する情報」が例えば携帯端末１１００から送られてくる。サーバ１３００は、受け取った番組情報に基づいて、処理すべき番組を特定する。タグリスト生成部１３０４は、特定した番組の各シーンと特徴情報とを用いて、特定シーンが出現する時間帯を示すタグリストを作成する。作成されたタグリストは、番組情報と関連付けられて、記録装置１３０５に記録される。
【００２８】
また、「シーンに関連する情報」を送信してきた携帯端末に、作成したタグリストを送信する。「シーンに関連する情報」として特徴情報が利用される場合、携帯端末１１００は、データ送信量が少なくなり、処理負担が軽くなる。
【００２９】
（４）「シーンに関連する情報」とは、番組情報と、代表特定シーンの特徴データ及び代表特定シーンの時間データである。この「シーンに関連する情報」は、（３）で述べた情報にさらに体表特定シーンの時間データが追加されている。サーバ１３００は、受け取った番組情報に基づいて、処理すべき番組を特定する。タグリスト生成部１３０４は、特定した番組の各シーンと特徴情報とを用いて、前記特定シーンが出現する時間帯を示すタグリストを作成する。このとき、時間データも利用されるので、前記特定シーンが出現する最初のタグの時間帯を決める時期が早くなる。
【００３０】
サーバ１３００は、「シーンに関連する情報」を送信してきた携帯端末に、作成したタグリストを送信する。
【００３１】
携帯端末１１００は、サーバ１３００からタグリストが送られて来た場合、タグリストを動画再生装置１２００へ送信することができる。動画再生装置１２００は、受け取ったタグリストに対応する番組を、タグリストに基づいて飛ばし再生することができる。動画再生装置１２００は、飛ばし再生した動画信号を携帯端末１１００に送信する。これにより、ユーザは、携帯端末１１００を用いて、任意の番組をタグリストに基づいて飛ばし視聴することができる。
【００３２】
今ユーザが、タブレット１１０２を用いて、動き再生装置１２００から番組ＰＸを受信してそして視聴しているものとする。ここで、番組ＰＸにおいて、ビルが並ぶ背景に月と船が現れている１つのシーンに対して、ユーザがタグリスト作成の指示を行ったとする。タグリスト作成の指示方法は、各種の方法が可能である。例えばメニュー画面において、項目「タグリスト作成」を選択した後、番組再生を行うことでタグリスト作成の指示が可能となる。または他の方法は、番組の視聴中に、ユーザがタグリスト作成を指示したいとき、フレームに設けられている「タグリスト作成キー」を押すと、タグリスト作成の指示が可能となる。
【００３３】
タグリスト作成の指示が可能な状態では、ユーザは、自身が興味を持つシーンが表示されたとき、当該画面にタッチすることで、当該シーンがスチル表示状態となる。タブレット１１０２は、スチル表示状態の画像に対応する「シーンに関連する情報」を作成する。
【００３４】
「シーンに関連する情報」は、サーバ１３００に送信される。
【００３５】
図２は、タグリストを作成するために、動画ＰＸのあるシーンが特定された場合に得られるタグリストの例を示している。また図３は、タブレット１１０２の表示画像の例を示している。
【００３６】
ビルが並ぶ背景に月と船が現れている１つのシーンに対する、「シーンに関連する情報」である場合、タグリストとしては、背景も含めたシーンベースに基づくタブリストtag-L1と、「月」ベースに関するtag-L2と、「船」ベースに関するtag-L3との複数のタグリストを作成することが可能である。つまりシーンに含まれる背景と、前記背景とは異なる画像に関するタグリストを作成することが可能である。
【００３７】
サーバ１３００は、サーバ１３００の管理者による動作設定により、自動的に上記の複数のタグリストを予め作成して記録装置１３０５に格納することができる。
【００３８】
また他の実施例では、サーバ１３００は、タブレット１１０２から番組情報が送られてきたとき、上記の複数のタグリストの選択項目（代表的なサムネールを加えている）をタブレット１１０２に送信することができる。図３（Ａ）は、ユーザが興味をもつシーンにタッチしたときの画面を示している。図３（Ｂ）は、背景も含めたシーンベースに基づくタブリストtag-L1と、「月」ベースに関するtag-L2と、「船」ベースに関するtag-L3とのいずれを希望するかをユーザに問い合わせるために、複数のタグリストの選択項目が表示された例を示している。ユーザは、リストＡ，リストＢ，リストＣの何れかのタグリストをタッチ操作により選択することができる。また画面上は、例えば「複数のオブジェクトに関するタグリストがあります、希望のタグリストをＡ，Ｂ，Ｃから選択してください」というような字幕が表示される。
【００３９】
また、他の実施例では、図３（Ｃ）に示すように、ユーザが興味を持つシーンがスチル表示状態となったときに、複数のオブジェクトに対して、選択マークＡ，Ｂ，Ｃが表示される。そして、「複数のオブジェクトに関するタグリストを用意できます、希望のオブジェクトを指定してください」と言うような字幕が表示される。ユーザは希望のオブジェクトの選択マークＡ，又はＢ，又はＣ、またはこれらの組み合わせを選択して、送信ボタン（図示せず）を操作する。サーバ１３００は、選択マークに応じたオブジェクトに関するタグリストを作成して、タブレット１１０２に送信することができる。
【００４０】
図４は、携帯端末１１００、動画再生装置１２００、サーバ１３００との間の通信動作の一例を説明するために示した図である。
【００４１】
携帯端末１１００は、動画再生装置１２００に対して、番組情報を要求する（ｔ１）。番組情報は、動画再生装置１２００で録画されている番組の情報である（ｔ２）。ユーザは希望の番組を視聴したい場合、携帯端末１１００を介して、動画再生装置１２００に番組再生を要求する（ｔ３）。動画再生装置１２００は、要求された番組を再生し、再生動画を携帯端末１１００に送信する（ｔ４）。
【００４２】
ユーザは、携帯端末１１００で番組を視聴しているときに興味を持つシーンが現れた場合、一時停止の操作を行う（ｔ５）。このとき、携帯端末１１００は、タグ作成モードであれば、動画再生装置１２００に対して一時停止されたシーンの再生時刻の要求も行う（ｔ６）。
【００４３】
携帯端末１１００は、一時停止されたシーンの再生時刻情報を取得すると（ｔ７）、当該シーンの特徴情報の作成を行う（ｔ８）。次に携帯端末１１００は、サーバ１３００に対して、番組情報、再生時刻情報及びシーン特徴情報を送信する（ｔ９）。サーバ１３００はシーン特徴情報を特定し、対応する番組情報に基づく番組を再生し、シーン特徴情報に対応するシーンの時間帯を決める（ｔ１０）。この時間帯情報がタグリストとなる（ｔ１１）。サーバ１３００はタグリスト作成したら、このことを携帯端末１１００に通知する（ｔ１３）。この通知を受けた携帯端末１１００が、サーバ１３００に対してタグリストを要求すると（ｔ１４）、サーバ１３００から携帯端末１１００にタグリストが送信されてくる（ｔ１５）。
【００４４】
携帯端末１１００は、タグリストを動画再生装置１２００に送信する（ｔ１６）、すると動画再生装置１２００は、指定された番組のタグリスト用いて、指定された番組の再生を行う（ｔ１６）。これにより、ユーザは、タグリストに基づく飛ばし再生画像を視聴することができる（ｔ１７）。この映像の視聴は、例えば動画再生装置１２００に含まれるモニタであってもよいし、携帯端末１１００の表示部で行われてもよい。
【００４５】
図５は、携帯端末１１００、動画再生装置１２００、サーバ１３００との間の通信動作の他の例を説明するために示した図である。携帯端末１１００が動画再生装置１２００に番組情報を要求する時点から再生時刻が動画再生装置１２００から携帯端末１１００に送られてくる時点（ｔ１−ｔ７）までは、図４の場合と同じである。
【００４６】
携帯端末１１００は、番組情報と、再生時刻情報をサーバ１３００に送信する（ｔ２１）。この例では、携帯端末１１００は、特徴情報は作成していない。すると、サーバ１３００からは、当該番組における複数のシーンの特徴情報、及びまたは、複数のオブジェクト（人物、動物など）の特徴情報を送信してくる（ｔ２２）。携帯端末１１００は、受信した複数のシーン及び又は複数のオブジェクトに関する特徴情報を表示し、ユーザの選択を待つ（ｔ２３、図３（Ｂ）参照）。ユーザが、シーン特徴情報を選択すると、携帯端末１１００は、サーバ１３００に当該番組に関する番組情報、再生時刻情報、選択情報などを送信する（ｔ２４）。サーバ１３００は、送られて来た特徴情報を特定し、当該番組に関するタグリストを作成する（ｔ２５）。
【００４７】
サーバ１３００はタグリスト作成したら、このことを携帯端末１１００に通知する（ｔ２７）。この通知を受けた携帯端末１１００が、サーバ１３００に対してタグリストを要求すると（ｔ２８）、サーバ１３００から携帯端末１１００にタグリストが送信されてくる（ｔ２９）。
【００４８】
携帯端末１１００は、タグリストを動画再生装置１２００に送信する（ｔ３０）、すると動画再生装置１２００は、指定された番組のタグリスト用いて、指定された番組の再生を行う。これにより、ユーザは、タグリストに基づく飛ばし再生画像を視聴することができる（ｔ４０）。この映像の視聴は、例えば動画再生装置１２００に含まれるモニタであってもよいし、携帯端末１１００の表示部で行われてもよい。
【００４９】
上記した図４及び図５に示す各動作を示す記述は、携帯端末１１００、動画再生装置１２００、サーバ１３００の機能ブロック或いは手段あるいはモジュール或いは動作部としてそのまま置き換えることが可能である。
【００５０】
飛ばし視聴は、過去のシリーズものの番組を思い出すために利用することができる。また多くの番組から、飛ばし視聴により特に興味のある番組を見つけ出し、この興味のある番組を後でゆっくり視聴するのに利用できる。
【００５１】
サーバ１３００が、「シーンに関連する情報」を送信してきた携帯端末に、作成したタグリストを送信する時期は、種々のケースがある。例えば、サーバ１３００において、すでに記録済みの番組のタグリストは直ぐに作成可能である。しかし、番組のライブ配信の途中で、ユーザの携帯端末から「シーンに関連する情報」を送信してくる場合もある。またタグリストの作成に時間がかかる場合がある。このような場合は、サーバ１３００は、携帯端末１１００に対して、例えば「ただいまタグリストを作成中です、後ほどお送りします」というようなメッセージを送信するようにしてもよい。
【００５２】
タグリスト作成の対象は、必ずしもテレビジョン放送番組に限定されない。例えば、インターネットを介して配信されている動画（ユーチューブ（登録商標））もタグリスト作成の対象となる。
【００５３】
図６は、携帯端末１１００としての例えばタブレットの代表的な内部構成の一例を示している。表示部３０１は映像表示部として動作し、かつタッチスクリーンとして動作することができる。メニュー画面が表示されているとき、ユーザが所望の項目にタッチすると、その操作入力が、制御部３２０の操作コマンド処理部３２４で認識される。
【００５４】
例えば、タッチ操作が、電話機能を選択する操作入力であった場合、動作モード設定部３２６が、携帯端末１１００を携帯電話モードに設定する。
【００５５】
表示部３０１には、ダイヤル入力を行うための操作画面が表示される。所望の宛先のダイヤル入力の操作が行われると、携帯電話機能部３２５が、データ処理部３０２、通信制御部３０３、送受信器３０４を介して通信相手の呼び出しシグナルを送信する。通信先との回線が接続状態になると、通信相手からの信号が送受信器３０４、通信制御部３０３、データ処理部３０２を介して復号される。そして音声データがスピーカ３０６から出力される。またこちらかの音声データは、マイクロホン３０７を介してデータ処理部３０２で処理され、送信データとして通信制御部３０３に送られる。そして送信データが送受信器３０４を介して通信相手に送信される。記憶媒体としてのメモリ３２１は、データを一時的に保存し、或いはアプリケーションを格納するために利用される。３２３はバッテリであり、充電可能である。メモリ３２１に格納されるアプリケーションには、図４、図５で説明した動作を実現するインストラクション（プログラムコード）を備えたプログラム製品も含まれる。
【００５６】
即ち本装置は、制御部で読み取り可能な記憶媒体に格納されるプログラムを有し、このプログラムは、ディスプレイに表示されている動画のあるシーンをユーザ操作により特定させるためのインストラクション、前記特定されたシーンに関連する情報をサーバに送信するためのインストラクション、前記シーンに関連する情報に基づいて作成されているタグリストを前記サーバから受信するためのインストラクション、前記タグリストに基づいて再生された前記動画を含む動画番組を表示するためのインストラクションを有する。また本発明には、上記プログラムを格納した（前記インストラクションを記述した）記憶媒体も含まれる。
【００５７】
携帯端末１１００は、データ転送部３２７、画像処理部３２８を含む。データ転送部３２７は、図４、図５で説明したように、携帯端末１１００が、動画再生装置１２００及びサーバ１３００と相互通信を行う場合に動作する。データ転送部３２７は、番組情報の要求、番組再生要求、一時停止要求、再生時刻要求、タグリストの転送とタグリストの再生要求などを動画再生装置１２００に対して行うことができる。またデータ転送部３２７は、サーバ１３００に対してタグリスト要求などを行うことができる。また、番組情報、再生時刻情報、選択情報などをサーバ１３００に送信する場合にも動作する。画像処理部３２８は、シーンの特徴情報を作成する場合に動作する。
【００５８】
その他、携帯端末１１００は、インターネットを介してコンテンツ或いはアプリケーションをダウンロードすることができる。またダウンロードしたコンテンツ或いはアプリケーションをデータ転送部３２７の制御に基づいて、動画再生装置に転送することができる。この場合、携帯端末１１００は、外観上は中継器として機能している。テレビジョン受信装置から送られてくる再生番組のデータ量は、携帯端末１１００にとっては比較的大きな量であるために、再生番組の保存を行わず、携帯端末１１００はモニタとして機能する。
【００５９】
また携帯端末１１００は、記録装置或いはテレビジョン受信装置に、番組表の画像データ、コンテンツの再生データ、さらには、記録装置或いはテレビジョン受信装置を制御するための制御画面データを要求することができる。制御画面データとしては、例えば、メニュー画面、画質調整（解像度、輝度など）画面、色調整画面、音量調整画面のデータがある。制御画面を取得した場合、ユーザは、テレビジョン受信装置の各種調整入力を、携帯端末のタッチスクリーンを介して与えることができる。また、これらの調整レベルなどの調整データは、メモリ３２１に保存することができ、次回の調整に使用することができるし、例えば使用を登録している他のテレビジョン受信装置に対しても調整データを与えることも可能である。
【００６０】
また携帯端末１１００は、カメラ３０８を有し、撮像した画像データを画像処理部３２８で処理して、記録装置或いはテレビジョン受信装置へ送ることができる。
【００６１】
図７は、動画再生装置１２００（記録装置及び又はテレビジョン受信装置）の構成例を示している。動画再生装置１２００は、例えばスクランブルされたデジタル地上波放送信号を受信する複数のチューナ１０２Ａ，１０２Ｂ，１０２Ｃを有する。チューナ１１１は、例えばＢＳ／ＣＳデジタル放送受信用のチューナである。図では４台のチューナを示しているがさらに増設されてもよいことは勿論である。
【００６２】
チューナ１０２Ａ、１０２Ｂ、１０２Ｃ、１１１で受信された放送番組の信号は、再多重部として機能するＴＳ処理部１２２に入力され、複数のチャンネル（ＣＨ）のＴＳ（Transport Stream）が１つのＴＳに再多重される。
【００６３】
ＴＳ処理部１２２から出力されるＴＳには、複数のチャンネルのＴＳのパケットが時分割多重されている。したがって、ＴＳ処理部１２２は、例えば４ＣＨの入力の場合は、パケットの配列を入力の５倍の速度で時分割多重して多重ＴＳを出力している。そして多重ＴＳのパケット配列の中に、制御情報パケットを埋め込んでいる。制御情報パケットは、多重されている各チャンネル用のチャンネルパケットのタイムスタンプ情報、パケット配列順情報などの制御情報を搬送する。
【００６４】
ＴＳ再多重方式は、ここで述べる方式に限定されるものではなく、各種の方法が可能である。ＴＳ処理部１２２で再多重化されたＴＳはＴＳ分離器１２３に送られる。ＴＳ分離器１２３は、放送番組の信号から暗号化情報であるＥＣＭ（Entitlement Control Message）と、番組名、出演者、開始時刻などのイベント情報を記述したテーブルであるＥＩＴ（Event Information Table）とを分離する。またＥＰＧ（Electric Program Guide：電子番組ガイド）情報などを分離し、制御装置２００に供給する。また放送番組のＴＳは、番組ＴＳ処理器１２４に送られる。
【００６５】
番組ＴＳ処理器１２４では、有料番組に関する番組ストリームに関しては、デスクランブルなどが行われる。デスクランブルのための鍵は、制御装置２００により生成される。制御装置２００は、ＥＣＭに含まれている情報、メモリ１６５の契約情報などを利用して、鍵を生成している。無料番組に関する番組ストリームは、デスクランブルされることなく通過する。
【００６６】
番組ＴＳ処理器１２４から出力された番組ＴＳは、セレクタ１２５、記録再生制御器１４１に供給される。セレクタ１２５は、ユーザが視聴しようとする番組のＴＳを選択して、ＡＶデコーダ１２６に供給する。番組ＴＳ内の映像パケットに含まれる映像データは、例えばＭＰＥＧ（Moving Picture Expert Group）方式、ＡＶＣ（Advanced Video Coding）方式などでエンコードされている。またオーディオパケット内のオーディオデータは、例えば、ＰＣＭ（Pulse Code Modulation）方式、Ｄｏｌｂｙ（登録商標）／（ドルビー（登録商標））方式、ＭＰＥＧ方式などでエンコードされている。ＡＶデコーダ１２６は、番組の映像パケットと、オーディオパケットを分離し、各パケット内のデータを各方式に応じてデコードする。
【００６７】
デコードされたオーディオデータは、オーディオ処理器１２７で音量・音質が調整されてスピーカシステム（例えば表示器１３０と一体に設けられるスピーカあるいは、ＡＶ（Audio／Video）アンプ装置等を経由して接続される外部スピーカ）に供給される。デコードされた映像データは、表示処理器１２８で、画質・色合・表示スケール、ライン数、解像度などが調整されて表示器１３０に供給される。オーディオ処理器１２７、表示処理器１２８に対する制御データは、制御装置２００から与えられる。
【００６８】
記録再生制御器１４１は、番組ＴＳ処理器１２４からの番組ＴＳを、ハードディスクドライバー１４２、及び又はディスク記録再生装置１４３もしくはリーダ／ライタ１４７に装着される半導体メモリ（メモリカード）Ｍに供給することができる。ハードディスクドライバー１４２は、常に記録再生制御器１４１に接続されており、受信した複数のチャンネルの放送番組を例えば1乃至２ヶ月分記録することが可能である。ディスク記録再生装置１４３は、ＤＶＤ，ＢＤなどのリムーバブルなディスクの再生、又はこれらディスクに対する信号記録を行うことができる。ディスク記録再生装置１４３は、記録再生制御器１４１に対して、ネットワーク（家庭内ネットワーク）１４５、モデム１４６を介して接続されており、家庭内のサーバとして機能することも可能である。リーダ／ライタ１４７は、装着される半導体メモリ（メモリカード）Ｍが保持する任意数の放送番組及び又は外部の装置で記録された映像あるいはオーディオもしくはその両者（以下、コンテンツと略称することもある）を記録再生制御器１４１を通じて、ディスク記録再生装置１４３に用意されるリムーバブルディスクやハードディスクドライバー１４２が制御するハードディスクに供給できる。また、ハードディスクやリムーバブルディスクが保持する放送番組及び又はコンテンツを所定の条件の範囲内で保持（記録）できる。
【００６９】
ビデオカメラ１４４は、表示器１３０を視聴する視聴者及びその周囲を撮像することができる。撮像信号は、制御装置２００において、保存・再生・モニタ用として管理されることができる。
【００７０】
制御装置２００を図７、図８を参照して説明する。この情報制御装置２００を搭載した動画再生装置１２００は、図４、図５で説明した番組情報を携帯端末１１００に提供することができる。この場合、動画再生装置１２００は、お勧め番組情報に基づく、番組情報を携帯端末１１００に提供することができる。このために、ユーザは、多くの番組の中から、興味を持つ番組の番組情報を容易に特定することができる。
【００７１】
制御装置２００は、ＥＰＧデータ処理部２０１を含む。ＥＰＧデータ処理部２０１は、過去・現在・未来の番組に関するＥＰＧデータを利用し、既にハードディスクドライバー１４２に格納されている過去に放送された番組に関する番組表・現在放送中の番組に関する番組表・未来（１ヶ月程度）の番組に関する番組表を繋げて管理することができる。
【００７２】
また、ＥＰＧデータ処理部２０１は、ＥＰＧデータに対して、視聴者或いはユーザ固有の情報を付加することができる。ユーザ固有の情報とは、ある放送番組が映画である場合、該映画が収録されたＤＶＤ或いはＢＤをユーザが購入又は発注したことを示す情報である。また、ある放送番組がオーケストラのコンサートを収録したものであった場合、当該オーケストラのコンサートの鑑賞チケットを購入したことがあるなどの情報である。これらの情報はデータ収集・修正値生成部２１１で収集される情報である。ＥＰＧデータは、先に説明した番組情報として利用される。
【００７３】
さらに、制御装置２００は、通信制御部２０２を含む。通信制御部２０２は、制御装置２００に接続されている送受信器１６１、１６２、及びリモコン受信器１６４の入出力データを制御する。
【００７４】
送受信器１６１はネットワークＮＴＷに接続され、例えばインターネット上のサーバに接続されることができる。送受信器１６２は、近距離無線通信用でありアンテナ１６３を介して携帯端末１１００との通信を行うことができる。送受信器１６２は、中継器（アクセスポイント）を介して携帯端末１１００との通信を行うこともできる。送受信器１６２は、中継器と接続される場合、無線或いは有線のいずれでもよい。
【００７５】
リモコン送受信器１６４は、リモートコントローラ１７４からの操作信号を受け付けることができる。操作信号は、操作指令反映部２０４にて解析される。制御装置２００は、操作信号に応じた動作をシステムに反映させることができる。
【００７６】
本実施形態では、操作信号は、携帯端末１１００から送受信器１６２を介して制御装置２００に与えることも可能である。
【００７７】
携帯端末１１００は、先に説明したように、基地局、インターネットなどを介してサーバをアクセスすることができる。サーバが提供するコンテンツは勿論のこと、各種のアプリケーション、ゲームソフトなどをダウンロードし、送受信器１６２を介して、制御装置２００に転送することが可能である。制御装置２００は、携帯端末１１００からコンテンツ、アプリケーション、或いはゲームソフトが転送されてくるときは、通信制御部２０２が動作する。コンテンツ（例えば動画）が転送されてきたときは、通信制御部２０２は、受け取ったコンテンツを記録再生制御器１４１に提供する。記録再生制御器１４１は、受け取ったコンテンツ（動画）をハードディスクドライバー１４２に記録させることができる。ハードディスクドライバー１４２では、コンテンツはコンテンツファイルで管理される。携帯端末から、アプリケーション或いはゲームソフト（バージョンアップされたもの或いは新規アプリケーション或いはゲームソフト）が転送されてきたときは、通信制御部２０２は、受け取ったアプリケーション或いはゲームソフトを記録再生制御器１４１に提供する。記録再生制御器１４１は、受け取ったアプリケーション或いはゲームソフトをハードディスクドライバー１４２に記録させることができる。ハードディスクドライバー１４２では、アプリケーションとゲームソフトはアプリケーションファイルとゲームソフトファイルで管理される。
【００７８】
アプリケーション及びゲームソフトの種類、バージョンなどは、制御装置２００内のアプリケーション管理部２０５においても管理されている。アプリケーション及びゲームソフトのメニューが表示されるときは、アプリケーション管理部２０５のデータが利用される。
【００７９】
表示用のメニュー画面データ、番組表画面データなどは、表示制御部２０３に格納及びまたは管理されている。メニューの表示、番組表の表示が行われるときは、メニュー画面データ、番組表画面データが、表示制御部２０３の制御に基づき、データ格納部（メモリ或いはハードディスク）から読み出され、表示処理部１２８に供給される。これにより、メニュー画面や番組表画面が表示部１３０に表示される。
【００８０】
表示用のメニュー画面データ、番組表画面データなどは、携帯端末１１００に送信されることもできる。携帯端末１１００がメニュー画面データ、番組表画面データなど要求した場合、表示制御部２０３は、メニュー画面データ、番組表画面データを送信することができる。携帯端末１１００は、メニュー画面データ、番組表画面データをタッチ式パネルの画面に表示することができ、ユーザは、タッチ式パネルの画面に表示された操作ボタンに触れることにより、動画再生装置に対する動作指令を与えることができる。
【００８１】
制御装置２００は、データ収集・修正値生成部２１１を含む。データ収集・修正値生成部２１１は、装置内部で生じる各種の操作データ（記録、再生、スキップ、消去、ダビング、録画予約など）と、外部から取り込んだコミュニケーションデータから、番組に対する重み付け値の修正値を生成することができる。データ収集・修正値生成部２１１で生成された修正値は、重み値修正部２１２において、番組の重み付け値を修正する。修正された重み付け値は、番組対重み付け格納部２１３に送られて保存される。
【００８２】
番組に対する重み付け値は、嗜好情報生成部２１４において、番組に対する嗜好情報（お勧め番組リスト）を生成する場合に利用される。前記番組に対して前記重み付け値に応じた嗜好性のレベルが設定される。そして例えば、重み付け値の大きい順に番組名が配列されて、お勧め番組リストとして、表示器１３０に表示されることができる。お勧め番組リストは、１日１回或いは２日或いは３日に１回更新される。お勧め番組リストは、携帯端末の要求により、携帯端末に転送され、携帯端末の表示器に表示されることも可能である。ユーザは、好みの番組の再生操作を携帯端末の画面上で行うことができる。
【００８３】
制御装置２００は、カメラ画像・オーディオ処理部２１８を有する。カメラ画像・オーディオ処理部２１８は、例えばカメラ１４４からの画像データを取り込み、アプリケーションに応じて各種の処理を実行することができる。例えば、取り込んだ視聴者の顔画像を識別し、顔画像と、この顔画像である視聴者が視聴した番組情報を関連付けたテーブルを作成することができる。また、カメラ１４４と一体、或いは別体であるマイクロホンからのオーディデータを取り込み、解析を行うことも可能である。例えば、視聴者の音声（笑い声）が大きくなったときの、番組名とシーンを関連付けたテーブルを作成することができる。
【００８４】
上記の機能を用いて、例えば、取り込んだ視聴者のジェスチャーを識別し、タグ作成のジェスチャーを判定したら、視聴中の番組情報や時間やシーンを元にタグリスト作成することができる。また、カメラ１４４と一体、或いは別体であるマイクロホンからの音声データを取り込み解析を行うことも可能である。したがって例えば、視聴者の音声命令により番組名とシーンを関連付けたテーブルを作成することができる。これは、動画再生装置１２００のカメラやマイクロホンに限らず、携帯端末１１００のカメラやマイクロホンを使っても同様にユーザがテーブル作成を指示できる。
【００８５】
制御装置２００は、使用機器管理部２１９を有する。使用機器管理部２１９は、使用機器登録アプリケーションを有し、例えばリモートコントローラ１７４により、使用機器登録アプリケーションを起動することができる。使用機器登録アプリケーションが起動した時点で、携帯端末１１００を操作したり、ハードディスクドライバー１４２、或いはディスク記録再生装置１４３を接続すると、自動的にこれらを周辺機器として登録することができる。携帯端末１１００は、識別（ＩＤ）情報を有するので、このＩＤが携帯端末のものとして登録される。
【００８６】
またデータ収集・修正値生成部２１１は、通信制御部２０２と共に動作し、通信エリア内に存在する携帯端末を検出する機能を備える。データ収集・修正値生成部２１１は、携帯端末を検出した場合、携帯端末のメモリに残っているコミュニケーションデータを要求することができる。コミュニケーションデータは、ブログデータ、又は、メールデータ、又は、検索データなどである。また携帯端末のメモリには、各種のコンテンツを操作した形跡（履歴）データが残っている。このような履歴データには、コンテンツの識別データも含まれる。この履歴データもコミュニケーションデータとしてデータ収集・修正値生成部２１１が収集する。
【００８７】
データ収集・修正値生成部２１１は、番組に関するユーザ行為のデータを収集し、番組に対する重み付け値の修正値を生成する。ユーザ行為としては、機械系（機械操作系と称しても良い）と、人間関係系（機器横断系、或いはソーシャル系と称しても良い）に分類できる。また人間関係系は、ユーザ（携帯端末）がソーシャルメディアに接して（通信を行い）コミュニケーションを実行することにも相当する。
【００８８】
機械系は、ある番組を、録画予約した、予約録画したが一定期間（例えば１週間以内）に視聴（再生）しなかった、録画した後再生した（一時停止、早送りした、スキップ再生したなどを含む）、削除した、ダビングしたなどの行為がある。この行為は、操作指令反映部２０４に入力する指令信号（インストラクション）を識別することにより判断できる。
【００８９】
データ収集・修正値生成部２１１は、指令信号を判断して、例えば以下のような修整値（ポイント）を発生する。図９を参照して説明する。
【００９０】
ある番組を    
録画予約した場合・・・＋５    
予約録画したが一定期間（例えば１週間以内）に視聴（再生）しなかった場合                  ・・・−１    
録画した後再生した（一時停止、早送りした、スキップ再生したなどを含む）、削除した場合、          ・・・＋１    
ダビングした場合・・・＋２    
のポイントが発生する。
【００９１】
このポイント、即ち修正値は、重み付け値修正部２１２において、当該番組の重み値を修正する。修正された重み値は、番組対重み付け値格納部２１３に格納される。このポイントの値は、ここに示される値に限定されるものではなく、一例であることを了解されたい。さらに細かく分類してプラスポイント、或いはマイナスポイントが発生するようにしてもよい。これを統計で収集していくと、その視聴者の番組に対する嗜好が細かくわかる。
【００９２】
また、番組に対する視聴履歴情報が収集され、番組対視聴履歴管理部２２１に格納される。視聴履歴は、例えば１ヶ月或いは２ヶ月間保存され、古いものから順次消去される。視聴者（ユーザ）認識機能を有する場合、視聴履歴はユーザごとに分類されていてもよい。
【００９３】
次に、人間関係系においてもコミュニケーションデータが解析されて、重み付け値の修正値が生成される。例えば以下のようなポイントが発生する。
【００９４】
即ち、    
番組名、番組関連情報、出演者情報などがブログで話題にされていた    
・・・＋３    
番組名、番組関連情報、出演者情報などが検索情報内に含まれていた    
・・・＋３    
ショッピング情報に、番組名、番組関連情報、出演者情報などが検索情報内に含まれていた              ・・・＋３    
ＤＶＤ，ＢＤ等のメディア再生情報に、番組名、番組関連情報、出演者情報などが検索情報内に含まれていた    
・・・＋３    
のポイント（修正値）が発生する。
【００９５】
さらにまた、コンテンツ購入例として、ビデオオンデマンド（ＶＯＤ）によるコンテンツ購入例がある。また、ＣＤ、ＤＶＤ、物版、ゲームなどのコンテンツの購入例がある。このような購入履歴を収集するために、例えば、携帯端末（パーソナルコンピュータも含む）のインターネットアクセス情報（ＵＲＬに関する情報）が解析される。この解析により、様々な注文情報や通信販売プロバイダ（例えばAmazon（登録商標）など）が検出される。このような購入情報は、ユーザが特に興味を有するコンテンツを検出する場合に有効である。
【００９６】
したがって、上記の購入情報（購入行為）が検出された場合は、最高のポイント（例えば＋５）が発生される。
【００９７】
更に、上記の番組対重み付け値のテーブルは、携帯端末の識別（ＩＤ）情報毎に、分類されていてもよい。この分類を行うことにより、携帯端末を専用で使用している個人個人の嗜好情報をより正確に生成することができる。
【００９８】
上記の他にさらに出演者、俳優の顔画像データとその氏名のデータベース、車、会社名などのデータベースを有し、このデータベースが利用されてもよい。例えば、外部の携帯端末から出演者、俳優などの顔画像データがデータ収集・修正部２１１に入力した場合、入力した顔画像データがデータベースに登録されているかどうか判断される。入力した顔画像データがデータベースに登録されていた場合、当該出演者、俳優が出演する番組に対して、ユーザは興味が高いと判断し、当該番組の重み付け値が加点されてもよい。この場合も複数の携帯端末毎に分類された番組対重み付け値のテーブルが作成される。また、複数のユーザや複数の携帯端末毎に分類された番組対重み付け値のテーブルが作成されてもよい。このような分類に基づいて作成された複数の嗜好情報は、複数のユーザや複数の携帯端末毎に対応する。
【００９９】
上記したように、本実施形態は、フィルタリングの方法として機械系、人間関係系の情報を利用している。
【０１００】
一般的にある番組が好きだから見ると言う人は２割程度である。いわゆるある番組に対するファンが２割程度である。この種の視聴者の嗜好性を推定するには上記の機械系によるフィルタリングが向いている。
【０１０１】
しかし、一方では約８割の人は、目的がなくてテレビジョン受信装置をオンにした状態で放置していることが多い。例えば、家事の最中、作業中、家族のだんらんのときに、なんとなくテレビジョン受信装置がオンにされ、番組が表示されている場合も多い。このタイプの人達の嗜好性を推定するには、機械系によるフィルタリングは最適とは言えない。
【０１０２】
そこで、上記した実施形態では、ユーザの行為が分散していることに着目している。つまり一定の装置（例えば家庭内のテレビジョン装置）に対するユーザの行為のみで、当該ユーザの本当の嗜好性を推定することはできない。つまりユーザの行為はその一定の装置だけに実施されているわけはでない。
【０１０３】
ユーザは、ソーシャルメディアに接してコミュニケーションを実行し、番組名、出演者名などを話題にすることがある。
【０１０４】
そこで上記の実施形態では、コミュニケーションデータを取り込みこのデータからキーデータを抽出する。次にキーデータから、番組に関連するデータ（番組名、番組の出演者名、出演者顔画像データ、番組関連情報）を検出している。番組関連情報とは、例えば放送局名、チャンネル番号、放送時間帯などである。番組に関連するデータが検出された場合、そのユーザは、当該番組に対して積極的に興味を持つものと推測できるからである。これにより、ユーザの嗜好性がコミュニケーションデータにより強調される。このことは結果的には、ユーザが放送番組を目的も無く見ている行為による嗜好性（機械系により強調されがちな嗜好性）が相対的に抑制されることにつながる。
【０１０５】
上記の例は、機械系（機械操作系）と、人間関係系（機器横断系、或いはソーシャル系）のデータを並列に取り扱った。しかしこのようなデータ処理方法に限定されるものではない。人間関係系で検出した複数の番組の中に、機械系で取り扱われた番組が存在した場合に、重み付け値を大きくする処理を追加してもよい。
【０１０６】
データの分類方法は各種あり、上記した分類方法に限定されるものではない。例えば全体データと履歴データと嗜好データの関係で分類してもよい。「全体データ」は、例えばネット上の情報全てであり、番組情報、ブログ、ツイート、ネットニュースなどから取得されるデータである。「履歴データ」は、ユーザの行為で生じたデータであって、どの番組再生したか、録画したか、どの番組に関するメディアを購入したかにより生じるデータである。ここで嗜好データは、「履歴データ」の中のキーデータに対応する番組に重み付け値を付与することで、嗜好情報を得る。この場合も、人間関係情報が利用される。
【０１０７】
本開示の装置は、上記の実施形態に限定されるものではない。カメラ画像・オーディオ処理部２１８は、取り込んだ視聴者の顔画像を識別し、顔画像と、この顔画像である視聴者が視聴した番組情報を関連付けたテーブルを作成することができる。また、カメラ１４４と一体、或いは別体であるマイクロホンからのオーディデータを取り込み、解析を行うことも可能である。したがって、視聴者毎の嗜好情報を作成することも可能である。
【０１０８】
しかし、視聴者が複数検出された場合は、共通嗜好情報を作成することも可能である。また、視聴者の音声を認識して、大きな声で笑った場合は、視聴している番組の加算ポイントを発生しても良い。
【０１０９】
データ収集・修正値生成部２１１は、収集したデータに応じて重み付け値の修正値を生成することができる。しかし、収集したデータの受付を拒否して、重み付け値の修正値を生成しない場合もある。この動作を得るために、受付を拒否するキーデータ（キーワード）を予め携帯端末から登録する。受付を拒否するキーデータは、例えば公序良俗違反となるデータであり、データ収集・修正値生成部２１１に格納される。
【０１１０】
特別番組登録部２２３は、ユーザが特別な番組の番組情報を残したい場合、或いは意識的に番組情報の優先順位を高くしたい場合に、使用される。特別な番組とは、ユーザが長期の保存（消去禁止）を設定したいような番組（例えばメモリアル番組、自分が出演した番組など）である。この特別番組登録部の番組情報が特別なタグリスト作成候補として、携帯端末１１００に送られるようにしてもよい。
【０１１１】
上記した説明や請求項において、手段を用いた場合「手段」は、「装置」、「器」、「ブロック」及び「モジュール」に置き換えても本発明の範疇であることは勿論である。さらにまた、請求項の各構成要素において、構成要素を分割して表現した場合、或いは複数を合わせて表現した場合、或いはこれらを組み合わせて表現した場合であっても本発明の範疇である。また請求項を方法として表現した場合であっても本発明の装置を適用したものである。
【０１１２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１３】
１０２Ａ，１０２Ｂ，１０２Ｃ、１１１・・・チューナ、１２２・・・ＴＳ処理部、１２３・・・ＴＳ分離器、１２４・・・番組ＴＳ処理器、１２５・・・セレクタ、１２６・・・ＡＶデコーダ、１２７・・・オーディオ処理器、１２８・・・表示処理器、１３０・・・表示器、１４１・・・記録再生制御器、１４２・・・ハードディスクドライバー、１４３・・・ディスク記録再生装置、１４４・・・カメラ、１４５・・・家庭内ネットワーク、１４６・・・モデム、１６１，１６２・・・送受信器、２００・・・制御装置、２０１・・・ＥＰＧデータ処理部、２０２・・・通信制御部、２０３・・・表示制御部、２０４・・・操作指令反映部、２０５・・・アプリケーション管理部、２１２・・・データ収集・修正値生成部、２１２・・・重み付け修正部、２１３・・・番組対重み付け値格納部、２１４・・・嗜好情報生成部、２１８・・・カメラ画像処理部、２１９・・・使用機器管理部、２２１・・・番組対視聴履歴管理部、２２３・・・特別番組登録部。
【図１】
2013229650.tif 000003
【図２】
2013229650.tif 000004
【図３】
2013229650.tif 000005
【図４】
2013229650.tif 000006
【図５】
2013229650.tif 000007
【図６】
2013229650.tif 000008
【図７】
2013229650.tif 000009
【図８】
2013229650.tif 000010
【図９】
2013229650.tif 000011